(57)【要約】【課題】ボルトによる仮締め作業を必要とせず、架設作業の時間短縮を可能にするとともに、勾配やスパンが異なる梁材に対しても共通に使用することができるようにした梁材の取付構造および梁材用取付支持金具を提供する。【解決手段】軒梁１４Ａ，１４間に架設される屋根梁１７の両端部に下面側に開放する係合溝２２を形成するとともに、複数個のボルト用挿通孔２５を半径Ｒとする同一円周上に形成する。水上側の軒梁１４Ａの上面と水下側の軒梁１４Ｂの垂直面に取付支持金具２０をそれぞれ取付ける。取付支持金具２０は、水平な支持バー３４と、半径Ｒとする同一円周上に形成された複数個のボルト用挿通孔３５を有し、前記支持バー３４と係合溝２２との係合によって屋根梁１７を支持し仮止めする。さらに、ボルト用挿通孔２５，３５にボルト４２を挿通して屋根梁１７を取付支持金具２０に固定する。【選択図】　　　　図４
2004044152.tif 000002
【特許請求の範囲】
【請求項１】
主梁間に架設される梁材の取付構造において、
前記梁材の両端部に係合部をそれぞれ形成し、
前記各主梁に取付支持金具をそれぞれ取付けてなり、
前記取付支持金具は、前記梁材の係合部が係合することにより前記梁材の端部を支持する支持部と、前記梁材の端部が固定手段によって固定される固定部とを有することを特徴とする梁材の取付構造。
【請求項２】
請求項１記載の梁材の取付構造において、
水上側と水下側の主梁の高さが同一で、水上側主梁の上面に取付支持金具を固定し、水下側主梁の前記水上側主梁と対向する垂直な面に取付支持金具を固定することにより、梁材に勾配を持たせたことを特徴とする梁材の取付構造。
【請求項３】
請求項１または２記載の梁材の取付構造において、
取付支持金具の固定部には、複数個のボルト用挿通孔が支持部を中心として同一円周上に形成されており、
梁材の係合部が梁材の下方に開放する溝であり、この溝の上側終端部の周りに複数個のボルト用挿通孔を、前記取付支持金具のボルト用挿通孔と同一円周上に位置するように形成したことを特徴とする梁材の取付構造。
【請求項４】
梁材の端部を支持、固定する梁材用取付支持金具において、
前記梁材に固定される底板と、この底板に突設された板厚方向に離間する複数枚の支持板と、これらの支持板によって両端部および中間部がそれぞれ支持された支持バーとからなり、前記複数枚の支持板のうちの１つに複数個のボルト用挿通孔が前記支持バーを中心として同一円周上に形成されていることを特徴とする梁材用取付支持金具。
【発明の詳細な説明】
【０００１】
【発明の属する技術分野】
本発明は、梁材、特に屋根梁に適用して好適な梁材の取付構造および梁材用取付支持金具に関する。
【０００２】
【従来の技術】
建築物の骨組構造体の一構成部材である梁材、特に屋根梁は、主梁間に架設され、屋根の重みを支えている。図９は従来の屋根梁の取付構造を示す図で、Ａは主梁、Ｂは屋根梁、Ｃは水下側のガセット（接合板）、Ｄはボルトである。ガセットＤは、屋根梁Ｂのボルト用挿通孔とボルト用挿通孔がずれないように屋根梁Ｂの勾配に合わせて製作され、工場において主梁Ａの垂直な面に溶接によって接合される。
【０００３】
屋根梁Ｂの取付けに際しては、屋根梁Ｂの端部をガセットＣにボルトＤによって仮止めする。全ての屋根梁Ｂを仮止めした後、屋根梁Ｂの勾配が揃っているか否か、真っ直ぐに通っているか否か等を作業者が目視によって確認し調整した後、ボルトＤを本締めして全ての屋根梁ＢをガセットＣに固定することにより、主梁Ａに対する屋根梁Ｂの架設作業を完了する。
【０００４】
【発明が解決しようとする課題】
上記したように従来は、屋根梁Ｂを架設する際、ボルトＤの仮締め作業と、本締め作業を必要とするため、その作業が煩わしく、架設作業に長時間を要するという問題があった。
また、屋根梁のスパンが異なると、屋根梁の高さも異なるため、通常ガセットの大きさ、形状、ボルト用挿通孔の数およびピッチが異なることから、従来は勾配が異なる屋根梁毎にガセットを製作する必要があった。このため、ガセットの種類が増加し、その製作が煩わしいという問題があった。
【０００５】
本発明は上記した従来の問題を解決するためになされたもので、その目的とするところは、ボルトによる仮締め作業を必要とせず、架設作業の時間短縮を可能にするとともに、勾配、スパンが異なる梁材に対しても共通に使用することができるようにした梁材の取付構造および梁材用取付支持金具を提供することにある。
【０００６】
【課題を解決するための手段】
上記目的を達成するために、第１の発明に係る建梁材の取付構造は、主梁間に架設される梁材の取付構造において、前記梁材の両端部に係合部をそれぞれ形成し、前記各主梁に取付支持金具をそれぞれ取付けてなり、前記取付支持金具は、前記梁材の係合部が係合することにより前記梁材の端部を支持する支持部と、前記梁材の端部が固定手段によって固定される固定部とを有するものである。
【０００７】
第１の発明においては、取付支持金具が係合部と支持部との係合により梁材を支持させることにより仮固定が行われるため、ボルトの仮締め作業を不要にする。
【０００８】
第２の発明は、上記第１の発明において、水上側と水下側の主梁の高さが同一で、水上側主梁の上面に取付支持金具を固定し、水下側主梁の前記水上側主梁と対向する垂直な面に取付支持金具を固定することにより、梁材に勾配を持たせたものである。
【０００９】
第２の発明においては、水上側主梁に固定される取付支持金具と、水下側主梁に固定される取付支持金具は取付け高さが異なり、梁材に勾配を持たせる。水上側と水下側の取付支持金具は共通に使用できる。
【００１０】
第３の発明は、上記第１または第２の発明において、取付支持金具の固定部には、複数個のボルト用挿通孔が支持部を中心として同一円周上に形成されており、梁材の係合部が梁材の下方に開放する溝であり、この溝の上側終端部の周りに複数個のボルト用挿通孔を、前記取付支持金具のボルト用挿通孔と同一円周上に位置するように形成したものである。
【００１１】
第４の発明は、梁材の端部を支持、固定する梁材用取付支持金具において、前記梁材に固定される底板と、この底板に突設された板厚方向に離間する複数枚の支持板と、これらの支持板によって両端部および中間部がそれぞれ支持された支持バーとからなり、前記複数枚の支持板のうちの１つに複数個のボルト用挿通孔が前記支持バーを中心として同一円周上に形成されているものである。
【００１２】
第３および第４の発明においては、梁材のボルト用挿通孔を梁材の勾配に応じて取付支持金具のボルト用挿通孔と一致するように形成すると、取付支持金具を勾配の異なる梁材に対して共通に使用することができる。また、スパンの異なる梁材に対して共通に使用し得る。
【００１３】
【発明の実施の形態】
以下、本発明を図面に示す実施の形態に基づいて詳細に説明する。
図１は本発明に係る梁材の取付構造を採用した建築物の一実施の形態を示す外観斜視図、図２は同じく建築物の概略断面図、図３は屋根梁の取付構造を示す要部の斜視図、図４は同じく屋根梁の取付構造の断面図、図５は水上側の取付支持金具の取付構造を示す斜視図、図６は水上側の取付支持金具によって屋根梁を支持した状態を示す斜視図、図７は水下側の取付支持金具の取付構造を示す斜視図、図８は水下側の取付支持金具によって屋根梁を支持した状態を示す斜視図である。
【００１４】
図１および図２において、全体を符号１で示す建築物はスーパーストーア、ファミリーレストラン等のチェーン店として用いられるプレハブ式の建物からなり、底盤コンクリート２上に構築された基礎体（土台）３と、この基礎体３上に構築された鉄骨製の骨組構造体４と、この骨組構造体４の上方を覆う屋根ユニット５と、骨組構造体４の前後、左右４つの壁面を形成する壁面構造体６と、屋根ユニット５の前端および左右両側を取り囲む庇ユニット７と、床ユニット８および天井ユニット９等で構成されている。
【００１５】
前記基礎体３は、基礎梁１１、大引き１２等からなり、基礎梁１１の上面に壁面構造体６の下端が固定され、大引き１２の上方に複数の床パネルからなる床ユニット８が根太１３を介して施工されている。
【００１６】
前記壁面構造体６は、複数枚の壁パネル６Ａからなり、上端側が軒梁１４Ａ，１４Ｂと図示しない軒桁の下面に固定されている。軒梁１４Ａ，１４Ｂと図示しない軒桁は、前記骨組構造体４の主梁を形成している。壁パネル６Ａは、枠体６０ａに取付けられた外装パネル６０ｂおよび内装パネル６０ｃからなり、建築物１の各コーナー部にそれぞれ直交して設けられる合計８枚の壁パネル６Ａについては、さらにその表面側に化粧パネル１５（図１）が取付けられている。
【００１７】
前記骨組構造体４は、複数本の柱１６（図４）と、これらの柱１６の上端に架設された前記軒梁１４Ａ，１４Ｂおよび軒桁と、軒梁１４Ａ，１４Ｂ間に架設された屋根梁１７等で構築されており、屋根梁１７の上に前記屋根ユニット５が施工されている。柱１６，１６は同一高さで、軒梁１４Ａは水上側、軒梁１４Ｂは水下側である。
【００１８】
前記屋根ユニット５は、複数枚の屋根鋼板５Ａと水切り５Ｂ（図１）とからなり、水捌けを良くするために後端側が前端側より低くなるように所定の勾配をもって前記屋根梁１７上に施工されている。
【００１９】
図５において、前記軒梁１４Ａ，１４Ｂは、同一形状で同一の大きさのＨ形鋼からなり、前記柱１６の上に同一高さになるように架設されており、前記屋根梁１７の端部をそれぞれ支持、固定する複数個の取付支持金具２０が前記屋根鋼板５Ａの幅と同一ピッチで並設されている。
【００２０】
前記屋根梁１７は、図３、図６および図８に示すように断面形状がコ字状の形鋼１７Ａを２つ１組として背中合わせに結合したものが用いられている。このため、形鋼１７Ａは、図６に示すように断面形状がコ字状の鋼材とされることにより、垂直板１７ａと、この垂直板１７ａの一側面上下端部にそれぞれ突設された上側水平板１７ｂおよび下側水平板１７ｃとで構成されている。垂直板１７ａの両端部には、係合部２２が形成されている。係合部２２は、垂直板１７ａの下面側に開放する縦長の係合溝からなり、上側終端部が半径ｒ（図４）の半円形で、溝幅が下端開口部において最大となるように末広がり状に形成されている。また、下側水平板１７ｃの各端部には、前記係合溝２２に連通する連通溝２３が下側水平板１７ｃの幅方向全長にわたって形成されている。
【００２１】
前記垂直板１７ａの内側面には、前記係合溝２２の周縁に沿って逆Ｕ字状の縁取り板２４が溶接によって接合されている。さらに、垂直板部１７ａの両端部には、５つのボルト用挿通孔２５が半径Ｒとする同一円周上に所定の間隔をおいて形成されている。前記半径Ｒと前記係合溝２２の上側終端部の半径ｒの中心Ｏは一致している。
【００２２】
図５において、前記取付支持金具２０は、底板３０と、この底板３０の上面両端部にそれぞれ立設された支持板としての端板３１，３２および中板（固定部）３３と、これら３枚の垂直な板３１，３２，３３間に支架された支持部としての支持バー３４とで構成されている。端板３１と中板３３および端板３２と中板３３の間隔は等しく、前記形鋼１７Ａの幅より若干大きく設定されている。
【００２３】
前記中板３３は、上部が半円形となるように馬蹄形に形成されており、その半円形部分３３ａの中心を前記支持バー３４が貫通している。また、半円形部分３３ａの中心Ｏを中心として５つのボルト用挿通孔３５が、前記ボルト挿通孔２５と同じ半径Ｒの同一円周上に等間隔をおいて形成されている。
ボルト用挿通孔３５の数は、スパン、高さが異なる屋根梁１７に対応し得るように設定されることが好ましい。
【００２４】
前記支持バー３４は、外径が前記係合溝２２の上側終端部の半径ｒより若干小さい半径を有するパイプ（または丸棒）で構成されている。
【００２５】
前記取付支持金具２０は、図４〜図８に示すように水上側の軒梁１４Ａに対してはその上面に前記底板３０が複数個のボルト３８およびナット３９によって固定され、水下側の軒梁１４Ｂに対してはその垂直板１１４の前記水上側軒梁１４Ａと対向する面に底板３０が同じく複数個のボルト３８およびナット３９によって、支持バー３４が水平になるように横向きに固定されている。横向きに固定する理由は、前方側と後方側の取付支持金具２０の高さを異ならせ屋根梁１７に所定の勾配を付与するためである。
【００２６】
屋根梁１７を水上側の軒梁１４Ａと水下側の軒梁１４Ｂ間に架設する際には、予め取付支持金具２０を水上側の軒梁１４Ａの上面に水平に固定し、水下側の軒梁１４Ｂの垂直板１１４に横向きに固定しておく。
【００２７】
次ぎに、屋根梁１７をクレーンによって吊り下げて前端側の係合溝２２を水上側軒梁１４Ａの上面に固定されている取付支持金具２０の支持バー３４に上方から係合させる。また、後端側の係合溝２２を水下側軒梁１４Ｂの垂直面に固定されている取付支持金具２０の支持バー３４に上方から係合させ、クレーンから屋根梁１７を外す。この場合、屋根梁１７は断面形状がコ字状に形成された左右２つの形鋼１７Ａからなるため、その一方の形鋼１７Ａが支持バー３４のうち左端の端板３１と中板３３との間のロッド部分によって支持され、他方の形鋼１７Ａが支持バー３４のうち右端の端板３２と中板３３との間のロッド部分によって支持される。このように、係合溝２２と支持バー３４との係合によって屋根梁１７の端部を支持すると、屋根梁１７は取付支持金具２０に対して仮固定され、前後および左右方向の移動が規制されるため、ボルトによる仮締め作業が不要である。
【００２８】
全ての屋根梁１７を取付支持金具２０によって支持させた後、屋根梁１７の勾配が揃っているか否かを作業者が目視によって確認する。また、屋根梁１７が真っ直ぐに通っているか否かを確認する。屋根梁１７の勾配が揃っていなかったり、真っ直ぐに通っていない場合は、取付支持金具２０の取付位置を調整する。
【００２９】
上記確認作業が終了した後、各屋根梁１７を取付支持金具２０に固定する。この固定は、２つの形鋼１７Ａ，１７Ａのボルト用挿通孔２５と中板３３のボルト用挿通孔３５にボルト４２を挿通して形鋼１７Ａ，１７Ａと中板３３を共締め固定することにより行われ、もって屋根梁１７の架設作業を完了し、しかる後、屋根梁１７の上に屋根ユニット５が取付けられる。
【００３０】
このような構造からなる屋根梁１７の取付構造においては、係合溝２２と支持バー３４の係合によって屋根梁１７の端部を支持させることにより仮固定が行われるので、ボルト４２による仮締め固定作業を必要とせず、屋根梁１７の長手方向の移動、がたつきを確実に防止することができる。また、クレーンによって屋根梁１７を吊り下げている時間、屋根梁１７の架設作業さらには全体の工期を短縮することができる。
【００３１】
また、屋根梁１７の端部に複数個のボルト用挿通孔２５を当該屋根梁１７の勾配に応じて取付支持金具２０のボルト用挿通孔３５と一致するように形成することにより、取付支持金具２０は変更する必要がなく、勾配の異なる屋根梁１７に対して共通に使用することができ、取付支持金具２０の種類を削減することができる。また、スパンの異なる屋根材１７に対して共通に使用し得る。
【００３２】
さらに、支持バー３４はボルト４２と同様に屋根梁１７を支持しているので、ボルト４２の本数を削減することができる。
【００３３】
なお、上記した実施の形態においては軒梁１４Ａ，１４Ｂ間に屋根梁１７を所定の勾配をもって架設した例を示したが、本発明はこれに何ら限定されるものではなく、軒梁１４Ａ，１４Ｂと直交する軒桁間に屋根梁１７を架設するようにした建築物に対しても適用することができる。
また、軒梁１４Ａ，１４Ｂの高さを同一にしたが、高さが異なる場合または屋根梁１７に勾配を付与しない場合は、水上側と水下側の取付支持金具２０を軒梁１４Ａ，１４Ｂの上面（または垂直面）に固定することが可能である。
さらに、屋根梁１７の形状、取付支持金具２０の支持板の数等は適宜変更することが可能である。
【００３４】
【発明の効果】
以上説明したように、本発明に係る梁材の取付構造および梁材用取付支持金具は、梁材の各端部に係合部を形成し、この係合部が係合する支持部を有する取付支持金具を主梁に固定し、前記支持部によって前記梁材を支持し、前記梁材をボルト等の固定手段によって取付支持金具の固定部に固定するように構成したので、前記固定手段によって梁材を取付支持金具に固定するまでの間、前記支持部を梁材の仮止め手段として機能させることができる。したがって、梁材の仮止め作業が簡単かつ容易で、ボルトによる梁材の仮締め作業を必要とせず、梁材の架設作業を迅速に行なうことができる。
【００３５】
また、本発明によれば、梁材の端部に複数個のボルト用挿通孔を当該梁材の勾配に応じて取付支持金具のボルト用挿通孔と一致するように形成することにより、取付支持金具は変更する必要がなく、勾配さらにはスパンの異なる梁材に対して共通に使用することができ、取付支持金具の種類を削減することができる。
【図面の簡単な説明】
【図１】本発明に係る梁材の取付構造を採用した建築物の一実施の形態を示す外観斜視図である。
【図２】同じく建築物の概略断面図である。
【図３】屋根梁の取付構造を示す要部の斜視図である。
【図４】同じく屋根梁の取付構造の断面図である。
【図５】水上側の取付支持金具の取付構造を示す斜視図である。
【図６】水上側の取付支持金具によって屋根梁を支持した状態を示す斜視図である。
【図７】水下側の取付支持金具の取付構造を示す斜視図である。
【図８】水下側の取付支持金具によって屋根梁を支持した状態を示す斜視図である。
【図９】従来の建築物の概略断面図である。
【符号の説明】
１…建築物、３…基礎体、４…骨組構造体、５…屋根ユニット、６…壁面構造、８…床ユニット、９…天井、１４Ａ，１４Ｂ…軒梁、１７…屋根梁、２０…取付支持金具、２２…係合部、２５…ボルト用挿通孔、３０…底板、３１，３２…端板、３３…中板、３５…ボルト用挿通孔、３４…支持部、４２…ボルト。
【図１】
2004044152.tif 000003
【図２】
2004044152.tif 000004
【図３】
2004044152.tif 000005
【図４】
2004044152.tif 000006
【図５】
2004044152.tif 000007
【図６】
2004044152.tif 000008
【図７】
2004044152.tif 000009
【図８】
2004044152.tif 000010
【図９】
2004044152.tif 000011